(57)【要約】【課題】本発明は、同じ画像データが重複して存されないようにした電子機器を提供することを目的とする。【解決手段】携帯電話機１は、第１画像データが入力される無線通信部２００と、無線通信部２００から入力された第１画像データを保存可能な画像データ保存部１２２と、画像データ保存部１２２に第１画像データと同じ画像データが保存されているか否かを判定する判定部１０７と、判定部１０７により画像データ保存部１２２に第１画像データと同じ画像データが保存されていないと判定された場合、第１画像データを画像データ保存部１２２に保存させ、判定部１０７により画像データ保存部１２２に第１画像データと同じ画像データが保存されていると判定された場合、第１画像データを画像データ保存部１２２に保存させない保存制御部１０８と、を備える。【選択図】図４
2010176265.tif 000002
【特許請求の範囲】
【請求項１】
第１画像データが入力される画像データ入力部と、
前記画像データ入力部から入力された第１画像データを保存可能な画像データ保存部と、
前記画像データ保存部に前記第１画像データと同じ画像データが保存されているか否かを判定する判定部と、
前記判定部により前記画像データ保存部に前記第１画像データと同じ画像データが保存されていないと判定された場合、前記第１画像データを前記画像データ保存部に保存させ、
前記判定部により前記画像データ保存部に前記第１画像データと同じ画像データが保存されていると判定された場合、前記第１画像データを前記画像データ保存部に保存させない保存制御部と、を備える
電子機器。
【請求項２】
前記画像データ入力部から入力された第１画像データを前記画像データ保存部に保存するよう指示する保存指示部と、を備え、
前記保存指示部により前記第１画像データの保存が指示された場合、
前記判定部は、前記画像データ保存部に前記第１画像データと同じ画像データが保存されているか否かを判定する
請求項１に記載の電子機器。
【請求項３】
前記画像データ入力部から入力される前記第１画像データを添付データとし、前記第１画像データをリンク先とするリンク情報を有する電子メール情報が入力される電子メール入力部と、
前記保存制御部からの指示により前記第１画像データが前記画像データ保存部に保存されなかった場合、前記リンク情報におけるリンク先を前記判定部により前記第１画像データと同じ画像データであると判定された画像データに変更するリンク情報変更部と、を備える
請求項１又は２に記載の電子機器。
【請求項４】
所定の文字列及び所定の画像を表示可能な表示部と、
文字を入力する文字入力部と、
前記文字入力部により入力された入力文字列に対応する変換候補文字列を前記表示部に表示させるよう指示する第１表示指示部と、
前記第１表示指示部からの指示により前記表示部に表示された変換候補文字列のうち、所定の変換候補文字列を選択する選択部と、
前記選択部により選択された前記所定の変換候補文字列を確定文字列として前記表示部に表示させる第２表示指示部と、を備え、
前記文字入力部により前記画像データ保存部に前記第１画像データが保存される際における該第１画像データに付与されていたファイル名に対応する文字列が入力された場合、
前記第１表示指示部は、前記表示部に前記変換候補文字列の１として前記第１画像データを示す第１情報を表示させ、
前記第２表示指示部は、前記第１情報が前記選択部により選択された場合、
前記第１画像データに基づく画像を前記表示部に表示させる
請求項２に記載の電子機器。
【発明の詳細な説明】
【技術分野】
【０００１】
本発明は、携帯電話機等の電子機器に関する。
【背景技術】
【０００２】
従来、電子機器としての携帯電話機は、画像データ等のファイルが添付された電子メールを受信可能に構成される。ユーザは、電子メールの本文と共に、添付ファイルとして受信した画像データの内容を表示部により表示させることができる。
【０００３】
ここで、電子メールに添付されたファイルは、携帯電話機（携帯端末）において電子メールが受信された後、通常、自動的にメモリに保存される（特許文献１参照）。
【先行技術文献】
【特許文献】
【０００４】
【特許文献１】特開２００７−１７２１９３号公報
【発明の概要】
【発明が解決しようとする課題】
【０００５】
特許文献１における携帯電話機（携帯端末）は、電子メールに添付された添付ファイルを電子メールを受信するごとにメモリに保存する。
しかし、画像ファイル等のデータ量が大きなファイルが電子メールに添付されていた場合、メモリに大きな負担がかかることになる。特に、異なる電子メールに同じ画像データが添付されていた場合、メモリは、同じ画像データを重複して複数保存することになる。
【０００６】
本発明は、同じ画像データが重複して保存されないようにした電子機器を提供することを目的とする。
【課題を解決するための手段】
【０００７】
本発明は、第１画像データが入力される画像データ入力部と、前記画像データ入力部から入力された第１画像データを保存可能な画像データ保存部と、前記画像データ保存部に前記第１画像データと同じ画像データが保存されているか否かを判定する判定部と、前記判定部により前記画像データ保存部に前記第１画像データと同じ画像データが保存されていないと判定された場合、前記第１画像データを前記画像データ保存部に保存させ、前記判定部により前記画像データ保存部に前記第１画像データと同じ画像データが保存されていると判定された場合、前記第１画像データを前記画像データ保存部に保存させない保存制御部と、を備える電子機器に関する。
【０００８】
また、前記画像データ入力部から入力された第１画像データを前記画像データ保存部に保存するよう指示する保存指示部と、を備え、前記保存指示部により前記第１画像データの保存が指示された場合、前記判定部は、前記画像データ保存部に前記第１画像データと同じ画像データが保存されているか否かを判定することが好ましい。
【０００９】
また、前記画像データ入力部から入力される前記第１画像データを添付データとし、前記第１画像データをリンク先とするリンク情報を有する電子メール情報が入力される電子メール入力部と、前記保存制御部からの指示により前記第１画像データが前記画像データ保存部に保存されなかった場合、前記リンク情報におけるリンク先を前記判定部により前記第１画像データと同じ画像データであると判定された画像データに変更するリンク情報変更部と、を備えることが好ましい。
【００１０】
また、所定の文字列及び所定の画像を表示可能な表示部と、文字を入力する文字入力部と、前記文字入力部により入力された入力文字列に対応する変換候補文字列を前記表示部に表示させるよう指示する第１表示指示部と、前記第１表示指示部からの指示により前記表示部に表示された変換候補文字列のうち、所定の変換候補文字列を選択する選択部と、前記選択部により選択された前記所定の変換候補文字列を確定文字列として前記表示部に表示させる第２表示指示部と、を備え、前記文字入力部により前記画像データ保存部に前記第１画像データが保存される際における該第１画像データに付与されていたファイル名に対応する文字列が入力された場合、前記第１表示指示部は、前記表示部に前記変換候補文字列の１として前記第１画像データを示す第１情報を表示させ、前記第２表示指示部は、前記第１情報が前記選択部により選択された場合、前記第１画像データに基づく画像を前記表示部に表示させることが好ましい。
【発明の効果】
【００１１】
本発明によれば、同じ画像データが重複して保存されないようにした電子機器を提供することができる。
【図面の簡単な説明】
【００１２】
【図１】携帯電話機１を含む通信システムＳの概要を説明する図である。
【図２】携帯電話機１を開いた状態における外観斜視図を示す。
【図３】携帯電話機１における回路構成を説明するブロック図である。
【図４】携帯電話機１における機能部の構成を説明するブロック図である。
【図５】入力文字列―変換候補文字列テーブル３００を示す図である。
【図６】電子メール作成時における表示部２１を示す図である。
【図７】電子メール作成時における表示部２１を示す図である。
【図８】電子メールを受信した場合における携帯電話機１の動作を説明するフロー図である。
【図９】電子メールの作成時における携帯電話機１の動作を説明するフロー図である。
【発明を実施するための形態】
【００１３】
以下、図面を参照して本発明を実施するための最良の形態を説明する。
まず、図１により、電子機器としての携帯電話機１を含む通信システムＳの概要について説明する。
図１は、携帯電話機１を含む通信システムＳの概要を説明する図である。
図１に示すように、通信システムＳは、通信網Ｎと、通信網Ｎを介して互いに通信可能な携帯電話機Ｐ及び携帯電話機１と、を含んで構成される。
【００１４】
携帯電話機Ｐは、通信網Ｎを介して、携帯電話機１と互いに通信可能に構成される。携帯電話機Ｐは、所定の画像データを添付データとする電子メールを通信網Ｎを介して携帯電話機１に送信可能に構成される。
ここで、通信網Ｎは、複数の基地局（不図示）を有して構成される。
【００１５】
携帯電話機１は、通信網Ｎを介して、携帯電話機Ｐと互いに通信可能に構成される。携帯電話機１は、通信網Ｎを介して携帯電話機Ｐから送信された所定の画像データを添付データとする電子メールを受信可能に構成される。
携帯電話機１は、受信した電子メールの内容及び添付データとしての画像データの内容を後述する表示部２１により表示可能に構成される。
また、携帯電話機１は、受信した電子メールのデータ及び添付データとしての画像データを後述するメモリ４４に保存する。ここで、本実施形態の携帯電話機１は、添付データとして受信した画像データと同じ画像データがメモリ４４に保存されている場合、添付データとして受信した画像データをメモリ４４に保存しない。そして、この場合、携帯電話機１は、電子メールのデータに含まれるリンク情報を変更する。具体的には、携帯電話機１は、リンク情報に含まれるリンク先を添付データである画像データから、既にメモリ４４に記憶される同じ画像データに変更する。
携帯電話機１における構成については、以下に詳述する。
【００１６】
次いで、図２により、携帯電話機１における基本構造を説明する。図２は、携帯電話機１を開いた状態における外観斜視図を示す。
【００１７】
図２に示すように、携帯電話機１は、筐体としての操作部側筐体２と、表示部側筐体３と、を備える。操作部側筐体２と表示部側筐体３とは、ヒンジ機構を備える連結部４を介して開閉可能に連結される。具体的には、操作部側筐体２の上端部と表示部側筐体３の下端部とは、連結部４を介して連結される。これにより、携帯電話機１は、ヒンジ機構を介して連結された操作部側筐体２と表示部側筐体３とを相対的に動かすことが可能に構成される。つまり、携帯電話機１は、操作部側筐体２と表示部側筐体３とが開いた状態（開状態）と、操作部側筐体２と表示部側筐体３とが折り畳まれた状態（閉状態）とにすることができる。ここで、閉状態とは、両筐体が互いに重なるように配置された状態であり、開状態とは、両筐体が互いに重ならないように配置された状態をいう。
【００１８】
操作部側筐体２は、外面がフロントケース２ａとリアケース２ｂとにより構成される。操作部側筐体２は、フロントケース２ａ側において、入力手段としての操作キー群１１と、携帯電話機１の使用者が通話時に発した音声が入力されるマイク１２とがそれぞれ露出するように構成される。
【００１９】
操作キー群１１は、各種設定や電話帳機能やメール機能等の各種機能を作動させるための機能設定操作キー１３と、電話番号の数字やメール等の文字等を入力するための入力操作キー１４と、各種操作における決定や上下左右方向のスクロール等を行う操作部材としての決定操作キー１５とにより構成される。操作キー群１１を構成する各キーそれぞれには、操作部側筐体２と表示部側筐体３との開閉状態や各種モードや起動されているアプリケーション等の種類に応じて所定の機能が割り当てられる（キー・アサイン）。そして、使用者が各キーを押圧することにより、各キーに割り当てられている機能に応じた動作が実行される。
【００２０】
マイク１２は、操作部側筐体２の長手方向における連結部４側と反対の外端部側に配置される。つまり、マイク１２は、携帯電話機１が開状態において一方の外端部側に配置される。
【００２１】
操作部側筐体２における一方側の側面には、外部機器（例えば、ホスト装置）と通信を行うためのインターフェース（図示せず）が配置される。操作部側筐体２の他方側の側面には、所定の機能が割り当てられているサイドキーと、外部メモリの挿入及び取り出しが行われるインターフェース（図示せず）とが配置される。インターフェースは、キャップにより覆われている。各インターフェースは、不使用時にはキャップにより覆われる。
【００２２】
表示部側筐体３は、外面がフロントケース３ａと、リアケース３ｄとにより構成される。表示部側筐体３におけるフロントケース３ｂには、各種情報を表示するための表示部２１と、通話の相手側の音声を出力するレシーバとしてのスピーカ２２と、が露出するように配置される。ここで、表示部２１は、液晶パネルと、この液晶パネルを駆動する駆動回路と、この液晶パネルの背面側から光を照射するバックライト等の光源部とから構成される。
【００２３】
続けて、図３により、携帯電話機１の回路構成について説明する。
図３は、携帯電話機１における回路構成を説明するブロック図である。
図３に示すように、携帯電話機１は、操作部側筐体２に配置される画像データ入力部及び電子メール入力部としての無線通信部２００と、文字入力部としての操作部１０１と、マイク１２と、ＬＣＤ制御部４２と、音声処理部４３と、メモリ４４と、ＣＰＵ４５と、電源部４６と、制御ＩＣ４７と、表示部側筐体３に配置される表示部２１と、スピーカ２２と、ドライバＩＣ２５とを備える。
【００２４】
無線通信部２００は、所定の使用周波数帯により外部装置と通信を行うアンテナ部９０と、変調処理又は復調処理等の信号処理を行う通信処理部２０１と、を備える。
【００２５】
アンテナ部９０は、所定の使用周波数帯（例えば、８００ＭＨｚ）で基地局Ｋと通信を行う。アンテナ部９０は、所定の使用周波数帯で基地局を含む通信網Ｎを介して携帯電話機Ｐを含む他の通信端末と通信を行う。なお、本実施形態では、所定の使用周波数帯として、８００ＭＨｚとしたが、他の周波数帯であってもよい。また、アンテナ部９０は、所定の使用周波数帯（第１の使用周波数帯）のほかに、第２の使用周波数帯（例えば、２ＧＨｚ）に対応できる、いわゆるデュアルバンド対応型による構成であってもよいし、更に、第３の使用周波数帯にも対応できる複数バンド対応型により構成されていてもよい。
【００２６】
通信処理部２０１は、所定の機能部から供給された信号を変調処理しアンテナ部９０を介して基地局Ｋに送信すると共に、アンテナ部９０により受信された信号を復調処理し所定の機能部に供給する。例えば、通信処理部２０１は、アンテナ部９０により受信した電子メールのデータ及び添付ファイルのデータ（画像データ等）に関する信号を復調処理しＣＰＵ４５等に供給する。
【００２７】
操作部１０１は、操作キー群１１を含んで構成される。操作部１０１は、入力文字列を入力可能に構成される。ここで、文字列は、１又は複数の記号、数字、英字、ひらがな、カタカナ、漢字や外国語を構成する文字等により構成される。
【００２８】
ＬＣＤ制御部４２は、ＣＰＵ４５の制御にしたがって、入力された画像データに対して所定の画像処理を行うと共に、画像処理された画像データをドライバＩＣ２５に出力する。ドライバＩＣ２５は、ＬＣＤ制御部４２から入力された画像データをフレームメモリに蓄えると共に、該フレームメモリに蓄えられた画像データを所定のタイミングで表示部２１に出力する。
【００２９】
表示部２１は、ドライバＩＣ２５から入力されたデータに基づいて、所定の文字や画像を表示する。表示部２１は、受信した電子メールの内容や、電子メールに添付されたファイルの内容を表示可能に構成される。添付されたファイルが画像データである場合、表示部２１には、画像データの内容である所定の画像が表示される。ここで、画像データには、所定のファイル名が付されている。ファイル名は、電子メール情報に含まれるリンク情報において、リンク先を特定する情報である。
【００３０】
また、表示部２１は、後述する電子メール作成部１１１により作成された電子メールを表示可能に構成される。表示部２１は、電子メールを作成している際に後述する第１表示指示部１１２や第２表示指示部１１４により表示が指示された所定の変換候補文字列や確定文字列を表示可能に構成される。また、表示部２１は、変換候補文字列の１つとして所定の画像データ（第１画像データ）を示す情報（第１情報）を表示可能である。また、表示部２１は、後述する選択部１１３により選択された情報（第１情報）に対応する画像データ（第１画像データ）を文字列と共に表示可能に構成される。
【００３１】
メモリ４４は、所定のデータを記憶する。メモリ４４は、後述する電子メールデータ保存部１２１と、画像データ保存部１２２と、変換候補文字列保存部１２３とを含んで構成される。メモリ４４については、後に詳述する。
【００３２】
ＣＰＵ４５は、携帯電話機１の全体を制御する。ＣＰＵ４５は、特に、無線通信部２００と、ＬＣＤ制御部４２と、音声処理部４３に対して所定の制御を行う。また、ＣＰＵ４５は、後述する機能部としての添付画像確認部１０５と、保存指示部１０６と、判定部１０７と、保存制御部１０８と、リンク情報変更部１０９と、変換候補文字列作成部１１０と、電子メール作成部１１１と、第１表示指示部１１２と、選択部１１３と、第２表示指示部１１４と、を有する。ＣＰＵ４５については、後に詳述する。
【００３３】
音声処理部４３は、ＣＰＵ４５の制御にしたがって、通信処理部２０１から供給された信号に対して所定の音声処理を行うと共に、音声処理された信号をスピーカ２２に出力する。スピーカ２２は、音声処理部４３から供給された信号に基づいて外部に放音（出力）する。また、音声処理部４３は、ＣＰＵ４５の制御にしたがって、マイク１２から入力された信号に対して所定の処理をすると共に、処理された信号を通信処理部２０１に出力する。通信処理部２０１は、音声処理部４３から入力された信号に所定の処理を行うと共に、処理がされた信号をアンテナ部９０に出力する。
【００３４】
電源部４６は、バッテリ８０を有して構成される。バッテリ８０は、所定容量を有するリチウムイオン電池である。制御ＩＣ４７は、電源部４６から供給される電源電圧を所定の電源電圧に変換し、変換後の電源電圧を携帯電話機１における各部（例えば、ＣＰＵ４５等）に供給する。
【００３５】
続けて、図４から図７により、携帯電話機１における機能部の構成について説明する。
図４は、携帯電話機１における機能部の構成を説明するブロック図である。図５は、入力文字列―変換候補文字列テーブル３００を示す図である。図６は、電子メール作成時における表示部２１を示す図である。図７は、電子メール作成時における表示部２１を示す図である。
【００３６】
図４に示すように、携帯電話機１は、無線通信部２００と、操作部１０１と、ＣＰＵ４５に含まれる機能部としての添付画像確認部１０５と、保存指示部１０６と、判定部１０７と、保存制御部１０８と、リンク情報変更部１０９と、変換候補文字列作成部１１０と、電子メール作成部１１１と、第１表示指示部１１２と、選択部１１３と、第２表示指示部１１４と、メモリ４４に含まれる機能部としての電子メールデータ保存部１２１と、画像データ保存部１２２と、変換候補文字列保存部１２３と、表示部２１と、を備える。
【００３７】
メモリ４４は、電子メールデータ保存部１２１と、画像データ保存部１２２と、変換候補文字列保存部１２３とを有する。
電子メールデータ保存部１２１は、無線通信部２００により受信された電子メールのデータを保存する。電子メールデータ保存部１２１は、電子メール中に挿入される（添付される）画像データへのリンク情報も保存する。
【００３８】
ここで、このリンク情報は、後述するリンク情報変更部１０９により変更され得るものである。
【００３９】
画像データ保存部１２２は、無線通信部２００により受信された電子メールに添付される画像データを保存する。
ここで、画像データ保存部１２２は、無線通信部２００により受信された電子メールに添付される画像データの全てを保存するわけではない。画像データ保存部１２２は、後述する保存制御部１０８により保存が指示された画像データを保存する。言い換えると、画像データ保存部１２２は、保存制御部１０８により保存しないよう指示された画像データについては保存しない。
具体的には、電子メールに添付された第１画像データが画像データ保存部１２２に既に保存されている第２画像データと同じ画像データである場合には、画像データ保存部１２２は、第１画像データを保存しない。
【００４０】
変換候補文字列保存部１２３は、操作部１０１により入力された入力文字列の変換候補文字列を保存する。変換候補文字列保存部１２３は、入力文字列―変換候補文字列テーブル３００を有する。入力文字列―変換候補文字列テーブル３００は、入力文字列と、入力文字列に対応する変換候補文字列とを含む（図５参照）。変換候補文字列は、所定の文字列のほか、画像データ保存部１２２に保存された画像データを示す第１情報を含んでもよい。
【００４１】
具体的には、図５に示すように、入力文字列―変換候補文字列テーブル３００は、入力文字列欄３１０と、変換候補文字列欄３２０と、を含む。入力文字列欄３１０における入力文字列が「ありが」である場合、変換候補文字列欄３２０における変換候補文字列として、「ありがとう」「がりがたい」「有難う」「ファイルＡ」（３３０）を含む。変換候補文字列は、第１情報３３０としての「ファイルＡ」を含む。
【００４２】
ここで、第１情報は、当該画像データのファイル名のほか、例えば、サムネイル画像や、第１情報が画像であることを示すシンボルマークであってもよい。
また、入力文字列―変換候補文字列テーブル３００における変換候補文字列は、変換候補文字列作成部１１０により変更（作成）可能である。
【００４３】
ＣＰＵ４５は、添付画像確認部１０５と、保存指示部１０６と、判定部１０７と、保存制御部１０８と、リンク情報変更部１０９と、変換候補文字列作成部１１０と、電子メール作成部１１１と、第１表示指示部１１２と、選択部１１３と、第２表示指示部１１４と、有する。
【００４４】
添付画像確認部１０５は、無線通信部２００により受信された電子メールに画像データが添付されているか否かを確認する。
添付画像確認部１０５は、電子メールに画像データが添付されていることを確認した場合、後述する保存指示部１０６に対して、画像データが添付されていること及び画像データを特定する情報を出力する。
【００４５】
保存指示部１０６は、添付画像確認部１０５からの情報に基づいて、画像データ保存部１２２に対して、添付画像データを保存するよう指示する。
保存指示部１０６は、後述する判定部１０７に対して、画像データ保存部１２２に保存の指示をした旨の情報を出力する。
【００４６】
判定部１０７は、保存指示部１０６からの情報に基づいて、添付画像データ（第１画像データ）と同じ画像データが画像データ保存部１２２に保存されているか否かを判定する。判定部１０７は、保存指示部１０６が画像データ保存部１２２に対して、添付画像データを保存するよう指示した場合、添付画像データ（第１画像データ）と同じ画像データが画像データ保存部１２２に保存されているか否かを判定する。
ここで、同じ画像データとは、内容が同じデータであって、同じとは、完全同一のほか、圧縮処理の有無が異なるだけの画像データ、サイズが違うだけの画像データ、外周部の全部又は一部が削除された画像データ等を含む。
【００４７】
保存制御部１０８は、判定部１０７により、添付画像データ（第１画像データ）と同じ画像データが画像データ保存部１２２に保存されていないと判定された場合、添付画像データを画像データ保存部１２２に保存させる。言い換えると、保存制御部１０８は、判定部１０７により、添付画像データ（第１画像データ）と同じ画像データが画像データ保存部１２２に保存されていないと判定された場合、保存指示部１０６からの添付画像データを画像データ保存部１２２に保存させるという指示を許可する。
【００４８】
また、保存制御部１０８は、判定部１０７により、添付画像データ（第１画像データ）と同じ画像データが画像データ保存部１２２に保存されていると判定された場合、添付画像データを画像データ保存部１２２に保存させない。言い換えると、保存制御部１０８は、判定部１０７により、添付画像データ（第１画像データ）と同じ画像データが画像データ保存部１２２に保存されていないと判定された場合、保存指示部１０６からの添付画像データを画像データ保存部１２２に保存させるという指示を許可しない。
つまり、保存制御部１０８は、新たに受信（入力）された添付画像データと同じ画像データが画像データ保存部１２２に既に記憶されている場合、該新たな添付画像データを保存させない。
そして、保存制御部１０８は、添付画像データを保存させない旨の情報をリンク情報変更部１０９に出力する。
【００４９】
リンク情報変更部１０９は、保存制御部１０８からの情報に基づいて、電子メールに含まれるリンク情報を変更する。具体的には、リンク情報変更部１０９は、保存制御部１０８により添付画像データ（第１画像データ）が画像データ保存部１２２に保存されなかった場合、リンク情報におけるリンク先を判定部１０７により添付画像データと同じ画像データであると判定された画像データ（第２画像データ）に変更する。
言い換えると、リンク情報変更部１０９は、画像データ保存部１２２に新たな添付画像データが保存されなかった場合、判定部１０７により新たな添付画像データと同じ画像と判断された既に保存されている他の画像データにリンク先を変更する。
【００５０】
変換候補文字列作成部１１０は、変換候補文字列保存部１２３に保存される変換候補文字列の内容を作成又は変更することができる。変換候補文字列作成部１１０は、添付画像データが画像データ保存部１２２に保存されるごとに、変換候補文字列の１つとして、保存された画像データを示す第１情報を追加することができる。この場合、変換候補文字列としての第１情報に対応する入力文字列は、例えば、画像データのファイル名とすることができる。
【００５１】
電子メール作成部１１１は、操作部１０１からの入力に基づいて、電子メールを作成する。電子メール作成部１１１による電子メール作成中において、後述する第１表示指示部１１２や、選択部１１３や、第２表示指示部１１４は、所定の機能をはたす。
【００５２】
第１表示指示部１１２は、操作部１０１により入力された入力文字列に対応する変換候補文字列を表示部２１に表示させるよう指示する。操作部１０１により画像データ保存部１２２に添付された画像データ（第１画像データ）が保存される際における該画像データに付与されていたファイル名に対応する文字列が入力された場合、第１表示指示部１１２は、表示部２１に変換候補文字列の１として画像データ（第１画像データ）を示す第１情報を表示させる（図６参照）。
【００５３】
選択部１１３は、第１表示指示部１１２からの指示により表示部２１に表示された変換候補文字列のうち、選択部１１３は、所定の変換候補文字列を選択する。例えば、操作部１０１からの指示に基づいて、所定の変換候補文字列を選択する（図６参照）。
【００５４】
第２表示指示部１１４は、選択部１１３により選択された所定の変換候補文字列を確定文字列として表示部２１に表示させる。操作部１０１により画像データ保存部１２２に添付された画像データ（第１画像データ）が保存される際における該画像データに付与されていたファイル名に対応する文字列が入力された場合において、第１表示指示部１１２により表示部２１に変換候補文字列の１つとして表示された第１情報が選択部１１３により選択されると、第２表示指示部１１４は、第１情報が示す画像データに基づく画像を表示部２１に表示させる（図７参照）。
【００５５】
表示部２１は、所定の文字列や画像を表示可能に構成される。表示部２１は、例えば、電子メール機能が実行されている状態において、文字入力部としての操作部１０１により入力された文字列を表示可能に構成される。
【００５６】
また、図６に示すように、表示部２１は、第１表示指示部１１２からの指示に基づいて、操作部１０１により入力された入力文字列に対応する変換候補文字列を表示する。図６に示すように、表示部２１は、文字作成時における一表示態様において、確定文字列等が表示されるメール本文部２１ａと、変換候補文字列表示部２１ｂとを有する。メール本文部２１ａには、確定された確定文字列と、操作部１０１により入力され確定されていない文字列とが示される。変換候補文字列表示部２１ｂには、変換候補文字列と、変換候補文字列を選択するカーソル１１３ａとが表示される。
【００５７】
所定の変換候補文字列に対応する位置にカーソル１１３ａを移動して所定の操作により選択を確定（選択部１１３により選択）することで、変換候補文字列は、確定文字列とされる。表示部２１は、第２表示指示部１１４からの指示に基づいて、選択部１１３により選択された所定の変換候補文字列等を確定文字列等として表示する。
【００５８】
ここで、表示部２１は、第２表示指示部１１４からの指示に基づいて、選択部１１３により第１情報としてのファイル名が選択された場合（図６参照）、ファイル名により示される特定の画像データ（第１画像データ）を表示する。
【００５９】
操作部１０１は、所定の文字列を入力可能に構成される。操作部１０１は、表示部２１に表示された複数の変換候補文字列のうち所定の変換候補文字列を選択するためカーソル１１３ａを移動させることでことができる。
【００６０】
続けて、図８により、電子メールを受信した場合における携帯電話機１の動作について説明する。
図８は、電子メールを受信した場合における携帯電話機１の動作を説明するフロー図である。
図８に示すように、ユーザからの所定の操作を受け、無線通信部２００は、外部から送信された電子メールを受信する（ＳＴ１）。
受信された電子メールに対し、添付画像確認部１０５は、電子メールに画像データが添付されているかを確認する（ＳＴ２）。
電子メールに画像データが添付されている場合（ＳＴ２、ＹＥＳ）、保存指示部１０６は、画像データ保存部１２２に添付画像データを保存する指示を行う。また、電子メールに画像データが添付されていない場合（ＳＴ２、ＮＯ）、電子メールデータ保存部１２１は、電子メールデータを保存する（ＳＴ８）。
【００６１】
保存指示部１０６により添付画像データを保存するよう指示が出された場合、判定部１０７は、画像データ保存部１２２に添付画像データと同じ内容の画像データが保存されているか否かを判定する（ＳＴ３）。
【００６２】
判定部１０７により画像データ保存部１２２に添付画像データと同じ内容の画像データが保存されていると判定された場合（ＳＴ３、ＹＥＳ）、保存制御部１０８は、画像データ保存部１２２に添付画像データを保存させない（ＳＴ４）。そして、リンク情報変更部１０９は、電子メールデータに含まれるリンク情報を変更する（ＳＴ５）。具体的には、リンク情報変更部１０９は、リンク先を添付画像データから画像データ保存部１２２に保存される上記同じ内容であるとされた画像データに変更する。
【００６３】
また、判定部１０７により画像データ保存部１２２に添付画像データと同じ内容の画像データが保存されていないと判定された場合（ＳＴ３、ＮＯ）、保存制御部１０８は、画像データ保存部に添付画像データを保存させる（ＳＴ６）。
【００６４】
続けて、添付画像確認部１０５は、他の画像データが電子メールに添付されているか否かを確認する（ＳＴ７）。
添付画像確認部１０５により他の画像データが電子メールに添付されていることが確認された場合（ＳＴ７、ＹＥＳ）、ＳＴ３の前に戻り、判定部１０７は、上述の処理を行う。
添付画像確認部１０５により他の画像データが電子メールに添付されていないことが確認された場合（ＳＴ７、ＮＯ）、電子メールデータ保存部１２１は、電子メールデータを保存する（ＳＴ８）。
【００６５】
続けて、図９により、電子メール作成時における携帯電話機１の動作について説明する。
図９は、電子メール作成時における携帯電話機１の動作を説明するフロー図である。
図９に示すように、まず、ユーザからの所定の操作を受け、電子メール機能が起動される。そして、電子メール作成部１１１は、電子メールの作成を開始する（ＳＴ１１）。
【００６６】
次いで、操作部１０１から所定の入力文字列が入力される（ＳＴ１２）。そして、第１表示指示部１１２は、入力文字列に対応する変換候補文字列を表示部２１に表示させる（ＳＴ１３）。図６に示すように、表示部２１には、所定の画像情報を示す情報としての「ファイルＡ」を含む複数の変換候補文字列が表示される。
【００６７】
続けて、操作部１０１からの指示に基づいて、選択部１１３は、複数の変換候補の１つを選択する。
選択部１１３により「ファイルＡ」が選択された場合（ＳＴ１４、ＹＥＳ）、第２表示指示部１１４は、「ファイルＡ」により示される画像データに基づく画像を表示部２１に表示させる（ＳＴ１５、図７参照）。また、選択部１１３により「ファイルＡ」が選択されない場合（ＳＴ１４、ＮＯ）、第２表示指示部１１４は、選択部１１３により選択された変換候補文字列が表示される（ＳＴ１６）。
【００６８】
続けて、操作部１０１から電子メール作成終了の指示を受けた場合（ＳＴ１７、ＹＥＳ）、電子メール作成部１１１は、電子メール作成における動作を終了する。そして、電子メール作成終了の指示を受けない場合（ＳＴ１７、ＮＯ）、電子メール作成部１１１は、電子メール作成における動作を継続し、ＳＴ１２の前に戻り、操作部１０１からの文字入力を待つ待機状態となる。
【００６９】
本実施形態によれば、携帯電話機１は、電子メールに添付された画像データを保存するに際し、メモリ４４に既に保存されている画像と同じ画像を保存しないように構成される。これにより、携帯電話機１は、同じ内容の画像を重複して保存することが抑制される。また、これにより、携帯電話機１は、メモリ４４の負担を軽減できる。
【００７０】
また、本実施形態によれば、携帯電話機１は、添付画像データをメモリ４４に保存しない場合、電子メールデータに含まれるリンク情報を、判定部１０７により同じ内容の画像データであると判定された画像データがリンク先となるよう変更する。これにより、携帯電話機１は、添付画像データをメモリ４４に保存しないと共に、所定の電子メールを閲覧した場合に受信時と同じ画像を表示することができる。また、これにより、携帯電話機１は、メモリ４４の負担を抑制すると共に、ユーザにおける使用性を維持することができる。
【００７１】
また、本実施形態によれば、携帯電話機１は、操作部１０１から入力された入力文字列に対応する変換候補文字列の１つとして、メモリ４４に記憶される画像データを示す情報（例えば、ファイル名等）を表示させることができる。また、携帯電話機１は、変換候補文字列として表示される上記情報が選択された場合、上記情報（第１情報、例えば、ファイル名等）により示される画像データに基づいた画像を表示することができる。これにより、携帯電話機１は、電子メール（例えば、本文）に容易に画像を組み込むことができる。また、ユーザは、通常の文章作成作業の流れで、文字列に容易に画像を組み込むことができると共に、入力した入力文字列に対応した画像を組み込むことができる。
【００７２】
以上、好適な実施形態について説明したが、本発明は上述した実施形態に限定されることなく種々の形態で実施することができる。例えば、本実施形態において、通信端末として携帯電話機１について説明しているが、これに限定されず、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であってもよい。
【００７３】
また、本実施形態において、画像入力部として無線通信部２００の説明をしているが、これに限定されず、例えば、外部メモリから画像を読み込むための画像読み込み部であってもよい。この場合、保存指示部１０６における保存指示は、操作部１０１からのユーザが所定の画像を選択する所定の操作に基づいてなされる。
【符号の説明】
【００７４】
１          携帯電話機
２          操作部側筐体
３          表示部側筐体
１１        操作キー群
２１        表示部
４４        メモリ
４５        ＣＰＵ
１０１      操作部
１０７      判定部
１０８      保存制御部
１０９      リンク情報変更部
１１２      第１表示指示部
１１３      選択部
１１４      第２表示指示部
１２１      電子メールデータ保存部
１２２      画像データ保存部
２００      無線通信部
Ｎ          通信網
Ｓ          通信システム
【図１】
2010176265.tif 000003
【図２】
2010176265.tif 000004
【図３】
2010176265.tif 000005
【図４】
2010176265.tif 000006
【図５】
2010176265.tif 000007
【図６】
2010176265.tif 000008
【図７】
2010176265.tif 000009
【図８】
2010176265.tif 000010
【図９】
2010176265.tif 000011